(57)【特許請求の範囲】
【請求項１】
複数の記録層を含む記録媒体であって、
各記録層は、
前記記録媒体の複数のセグメント領域へのアクセスを制御するアクセス制御情報を格納する少なくとも１つのアクセス制御情報領域であって、該アクセス制御情報領域は、前記アクセス制御情報の更新によって少なくとも２つのバージョンのアクセス制御情報を含み、該アクセス制御情報は、対応するアクセス制御情報が適用される前記セグメント領域を特定し、該アクセス制御情報がデータの記録／再生を試みる装置によって識別されない場合に、該アクセス制御情報における所定のルールにしたがって該アクセスを制御することによって前記記録媒体の互換性の範囲を広げる、少なくとも１つのアクセス制御情報領域と、
前記アクセス制御情報の状態情報を格納する状態情報領域と
を備え、
前記状態情報は、以前に記録されたバージョンのアクセス制御情報が無効であり、更新されたアクセス制御情報のバージョンが有効であることを示すことを特徴とする記録媒体。
【請求項２】
前記状態情報領域は、前記少なくとも１つのアクセス制御情報領域のそれぞれについての状態情報を含むことを特徴とする請求項１に記載の記録媒体。
【請求項３】
各記録層の前記少なくとも１つのアクセス制御情報領域および前記状態情報領域は、前記記録媒体のインナー領域にあることを特徴とする請求項１に記載の記録媒体。
【請求項４】
各記録層の前記少なくとも１つのアクセス制御情報領域および前記状態情報領域は、物理的に分離していることを特徴とする請求項１に記載の記録媒体。
【請求項５】
少なくとも１つのアクセス制御情報は、クラスタを単位として前記記録媒体に記録されることを特徴とする請求項１に記載の記録媒体。
【請求項６】
各記録層は、少なくとも１つのアクセス制御情報の複製を格納する領域をさらに備えることを特徴とする請求項１に記載の記録媒体。
【請求項７】
前記記録媒体は、書き換え可能な記録媒体であることを特徴とする請求項１に記載の記録媒体。
【請求項８】
有効な状態を示す前記状態情報は、前記更新後再使用可能な状態を示すために変更されることを特徴とする請求項１に記載の記録媒体。
【請求項９】
前記状態情報は、前記アクセス制御情報の状態に基づいて変わることを特徴とする請求項１に記載の記録媒体。
【請求項１０】
前記状態情報は、前記アクセス制御情報が既知のものであるか、未知のものであるかによって変更されることを特徴とする請求項９に記載の記録媒体。
【請求項１１】
前記状態情報は、前記アクセス制御情報がプライマリアクセス制御情報であるかどうかによって変更されることを特徴とする請求項９に記載の記録媒体。
【請求項１２】
前記記録媒体に記録すること、および／または前記記録媒体から再生することは、前記装置が前記アクセス制御情報を認識することができないときに前記所定のルールに従って処理されることを特徴とする請求項１に記載の記録媒体。
【請求項１３】
前記所定のルールは、フラグデータをさらに含み、
前記フラグデータは、前記記録媒体の初期化が許可されているか否かを示し、前記記録媒体内の全てまたは一部のユーザデータ領域へのアクセスを制御することを特徴とする請求項１２に記載の記録媒体。
【請求項１４】
前記状態情報は、前記フラグデータが前記初期化が許可されていることを示す時に、変更されることを特徴とする請求項１３に記載の記録媒体。
【請求項１５】
記録媒体を更新する方法であって、
前記記録媒体のアクセス制御情報を更新するステップであって、該記録媒体は、該更新によって少なくとも２つのバージョンのアクセス制御情報を含み、該アクセス制御情報は、該記録媒体の複数のセグメント領域へのアクセスを制御し、対応するアクセス制御情報が適用される前記セグメント領域を特定し、該アクセス制御情報がデータの記録／再生を試みる装置によって識別されない場合に、該アクセス制御情報における所定のルールにしたがって該アクセスを制御することによって前記記録媒体の互換性の範囲を広げる、ステップと、
前記更新に応じて、以前に記録されたバージョンのアクセス制御情報が無効であり、更新されたアクセス制御情報のバージョンが有効であることを示すように、前記記録媒体の状態情報を変更するステップと
を備えることを特徴とする方法。
【請求項１６】
前記所定のルールは、前記アクセス制御情報が前記装置によって識別されない時に、前記記録媒体に適用可能なオペレーションを特定することを特徴とする請求項１５に記載の方法。
【請求項１７】
前記アクセス制御情報は、対応するアクセス制御情報が適用されるセグメント領域の数を示すセグメント情報をさらに含むことを特徴とする請求項１５に記載の方法。
【請求項１８】
前記更新されたアクセス制御情報の複製を前記記録媒体に記録するステップをさらに備え、前記状態情報は、前記更新されたアクセス制御情報の複製の状態をさらに示すことを特徴とする請求項１５に記載の方法。
【請求項１９】
記録媒体を更新する装置であって、
前記記録媒体にデータを記録し、前記記録媒体からデータを再生するように構成されたピックアップと、
前記ピックアップを制御して、前記記録媒体のアクセス制御情報を更新するように構成されたコントローラであって、該記録媒体は、該更新によって少なくとも二つのバージョンのアクセス制御情報を含み、該アクセス制御情報は、該記録媒体の複数のセグメント領域へのアクセスを制御し、対応するアクセス制御情報が適用される前記セグメント領域を特定し、該アクセス制御情報がデータの記録／再生を試みる装置によって識別されない場合に、該アクセス制御情報における所定のルールにしたがって該アクセスを制御することによって前記記録媒体の互換性の範囲を広げ、並びに、前記ピックアップを制御して、前記更新に応じて、以前に記録されたバージョンのアクセス制御情報が無効であり、更新されたアクセス制御情報のバージョンが有効であることを示すように、前記記録媒体の状態情報を変更するように構成された、コントローラと
を備えたことを特徴とする装置。
【請求項２０】
前記所定のルールは、前記アクセス制御情報が前記装置によって識別されない時に、前記記録媒体に適用可能なオペレーションを特定することを特徴とする請求項１９に記載の装置。
【請求項２１】
前記コントローラは、対応するアクセス制御情報が適用されるセグメント領域の数を示すセグメント情報を含むアクセス制御情報を更新するように構成されたことを特徴とする請求項１９に記載の装置。
【請求項２２】
前記コントローラは、前記ピックアップを制御して、前記更新されたアクセス制御情報の複製を前記記録媒体に記録し、前記更新されたアクセス制御情報の複製の状態をさらに示す前記状態情報を変更するようにさらに構成されたことを特徴とする請求項１９に記載の装置。
【請求項２３】
記録媒体にデータを記録し、記録媒体からデータを再生する方法であって、
アクセス制御情報の状態を示す状態情報を前記記録媒体から読み出すステップであって、該状態情報は、該アクセス制御情報の更新に応じて、以前に記録されたバージョンのアクセス制御情報が無効であり、更新されたアクセス制御情報のバージョンが有効であることを示すように変更される、ステップと、
少なくとも１つのアクセス制御情報を前記状態情報に基づいて前記記録媒体から読み出すステップであって、該記録媒体は、前記更新によって少なくとも２つのバージョンのアクセス制御情報を含み、該アクセス制御情報は、該記録媒体の複数のセグメント領域へのアクセスを制御し、対応するアクセス制御情報が適用されるセグメント領域を特定し、該アクセス制御情報がデータの記録／再生を試みる装置によって識別されない場合に、該アクセス制御情報における所定のルールにしたがって該アクセスを制御することによって前記記録媒体の互換性の範囲を広げる、ステップと
を備えることを特徴とする方法。
【請求項２４】
前記アクセス制御情報は、対応するアクセス制御情報が適用されるセグメント領域の数を示すセグメント情報をさらに含むことを特徴とする請求項２３に記載の方法。
【請求項２５】
前記読み出されたアクセス制御情報が前記装置によって識別されるか否かを判定するステップと、
前記読み出されたアクセス制御情報が前記装置によって識別されない場合に、前記所定のルールに基づいて、前記セグメント領域にユーザデータを記録し、前記セグメント領域からユーザデータを再生するステップと
をさらに備えることを特徴とする請求項２３に記載の方法。
【請求項２６】
前記状態情報に基づいて有効なアクセス制御情報を識別するステップと、
該有効なアクセス制御情報に基づいて、ユーザデータを前記記録媒体に記録し、前記記録媒体のユーザデータを再生するステップと
をさらに備えることを特徴とする請求項２３に記載の方法。
【請求項２７】
記録媒体にデータを記録し、記録媒体からデータを再生する装置であって、
前記記録媒体にデータを記録し、前記記録媒体からデータを再生するように構成されたピックアップと、
前記ピックアップを制御して、アクセス制御情報の状態を示す状態情報を前記記録媒体から読み出すように構成されたコントローラであって、該状態情報は、該アクセス制御情報の更新に応じて、以前に記録されたバージョンのアクセス制御情報が無効であり、更新されたアクセス制御情報のバージョンが有効であることを示すように変更され、並びに、前記ピックアップを制御して、前記状態情報に基づいて少なくとも１つのアクセス制御情報を前記記録媒体から読み出すように構成されたコントローラであって、該記録媒体は、該更新によって少なくとも２つのバージョンのアクセス制御情報を含み、該アクセス制御情報は、該記録媒体の複数のセグメント領域へのアクセスを制御し、対応するアクセス制御情報が適用されるセグメント領域を特定し、該アクセス制御情報がデータの記録／再生を試みる装置によって識別されない場合に、該アクセス制御情報における所定のルールにしたがって該アクセスを制御することによって前記記録媒体の互換性の範囲を広げる、コントローラと
を備えることを特徴とする装置。
【請求項２８】
前記コントローラは、前記読み出されたアクセス制御情報が識別されるか否かを判定し、前記読み出されたアクセス制御情報が識別されない場合に、前記所定のルールに基づいて、前記セグメント領域にユーザデータを記録し、前記セグメント領域からユーザデータを再生するように構成されたことを特徴とする請求項２７に記載の装置。
【請求項２９】
前記コントローラは、前記状態情報に基づいて有効なアクセス制御情報を識別し、前記ピックアップを制御して、該有効なアクセス制御情報に基づいて、ユーザデータを前記記録媒体に記録し、前記記録媒体のユーザデータを再生するように構成されたことを特徴とする請求項２７に記載の装置。
【発明の詳細な説明】
【技術分野】
【０００１】
本発明は、物理的アクセス制御（ＰＡＣ：physical access control）を管理し、データを記録すること、ＰＡＣを包含しデータを記録する記録媒体（例えば、ブルーレイディスクなどの高密度光ディスク）、並びに記録媒体にデータを記録し、および／または記録媒体からデータを再生する装置および方法に関する。
【背景技術】
【０００２】
記録媒体、例えば、光ディスクは、大容量のデータを記録するために使用することが可能である。利用可能な光ディスクの中でも、高精細度のビデオデータおよび／またはオーディオデータを記録し、および／または格納することが可能な、新しい高密度光記録媒体（ＨＤ−ＤＶＤ）、例えば、ブルーレイディスク（以後、「ＢＤ」と呼ぶ）が開発中である。
【０００３】
ＢＤは、書き換え可能なブルーレイディスク（ＢＤ−ＲＥ）、１回だけ書き込めるブルーレイディスク（ＢＤ−ＷＯ）、および読み出し専用ブルーレイディスク（ＢＤ−ＲＯＭ）をさらに含む。
【０００４】
現在、既存システムの有する問題の一つは、相異なるバージョンのドライブ間の潜在的な非互換性（incompatibility）である。例えば、従来の機能を有する旧バージョンのドライブは、後の機能のうち少なくとも１つの機能を含むドライブと相互作用する記録媒体と相互作用することに問題がある場合がある。
【０００５】
既存システムの有する他の問題は、記録媒体、例えば、書き換え可能なブルーレイディスク（ＢＤ−ＲＥ）に格納された物理的アクセス制御（ＰＡＣ）情報のための初期化、再初期化、フォーマット、再フォーマットの手順（procedure）を決定することである。
【発明の開示】
【発明が解決しようとする課題】
【０００６】
本発明の実施形態は、高密度光ディスクなどの記録媒体上にＰＡＣを提供し、ＰＡＣを使用して記録媒体にデータを記録し、および記録媒体からデータを再生する装置および方法を提供する。ここで、ＰＡＣは、初期化し、再初期化し、フォーマットし、および／または再フォーマットすることができる。
【課題を解決するための手段】
【０００７】
一実施形態において、本発明は、記録媒体に記録すること、および／または記録媒体から再生することを管理する情報をさらに含む少なくとも１つの物理的アクセス制御（ＰＡＣ）クラスタと、記録媒体の再フォーマット時に変更される、少なくとも１つのＰＡＣクラスタの各々についての状態情報を包含する少なくとも１つの領域とをさらに有する少なくとも１つの物理的アクセス制御（ＰＡＣ）ゾーンを含む記録媒体のデータ領域を管理するデータ構造を有する記録媒体を対象にする。
【０００８】
一実施形態において、本発明は、少なくとも１つの物理的アクセス制御（ＰＡＣ）クラスタおよび少なくとも１つのＰＡＣクラスタの各々についての状態情報を識別すること、および状態情報に基づいて再フォーマット時に少なくとも１つのＰＡＣクラスタの各々についての状態情報を変更することを含む、記録媒体を再フォーマットする方法を対象にする。
【０００９】
一実施形態において、本発明は、記録媒体のすべての物理的アクセス制御（ＰＡＣ）クラスタを「ｕｎｋｎｏｗｎ  ＰＡＣ」クラスタおよび「ｋｎｏｗｎ  ＰＡＣ」クラスタにソートすること、記録媒体の初期化が可能な場合に、「ｕｎｋｎｏｗｎ  ＰＡＣ」クラスタおよび「ｋｎｏｗｎ  ＰＡＣ」クラスタを初期化すること、および初期化されたＰＡＣクラスタの状態情報を記録媒体の管理領域に記録することを含む記録媒体を初期化する方法を対象にする。
【００１０】
一実施形態において、本発明は、記録媒体の再フォーマット時に変更される、少なくとも１つの物理的アクセス制御（ＰＡＣ）クラスタの各々についての状態情報を包含する少なくとも１つの領域を含む少なくとも１つのＰＡＣクラスタを識別すること、および少なくとも１つのＰＡＣクラスタの各々についての変更された状態情報を記録媒体に記録することを含む、記録媒体に記録する方法を対象にする。
【００１１】
一実施形態において、本発明は、記録媒体の再フォーマット時に変更される、少なくとも１つの物理的アクセス制御（ＰＡＣ）クラスタの各々についての状態情報を包含する少なくとも１つの領域を含む少なくとも１つのＰＡＣクラスタを識別すること、および少なくとも１つのＰＡＣクラスタの各々についての変更された状態情報を記録媒体から再生することを含む、記録媒体から再生する方法を対象にする。
【００１２】
一実施形態において、本発明は、少なくとも１つの物理的アクセス制御（ＰＡＣ）クラスタ、および記録媒体の再フォーマット時に変更される、少なくとも１つのＰＡＣクラスタの各々についての状態情報に基づいてデータを記録すること、または再生することを制御する制御部と、記録媒体の少なくとも１つのＰＡＣクラスタの各々についての変更された状態情報を記録し、または再生するピックアップ部とを含む記録媒体に記録し、および／または記録媒体から再生する装置を対象にする。
【００１３】
一実施形態において、本発明は、記録媒体上のＰＡＣを「ｕｎｋｎｏｗｎ  ＰＡＣ」および「ｋｎｏｗｎ  ＰＡＣ」にソートすること、記録媒体の初期化が可能な場合に、「ｕｎｋｎｏｗｎ  ＰＡＣ」および「ｋｎｏｗｎ  ＰＡＣ」を初期化すること、および初期化されたＰＡＣの状態情報を記録媒体の管理領域に記録することを含む、高密度光ディスクなどの記録媒体を初期化する方法を対象にする。
【００１４】
一実施形態において、「Ｕｎｋｎｏｗｎ  ＰＡＣ」は、ＰＡＣが記録されるクラスタが書き込み可能な場合、初期化することが可能である。
【００１５】
一実施形態において、本発明は、記録媒体の初期化時にＰＡＣゾーンを初期化しないで、ＰＡＣ状態情報が記録されるディスク定義構造（ＤＤＳ）情報を、すべてのＰＡＣが書き込み可能な状態に設定することを含む、高密度光ディスクなどの記録媒体を初期化する方法を対象にする。
【００１６】
一実施形態において、本発明は、記録媒体のＰＡＣを「ｕｎｋｎｏｗｎ  ＰＡＣ」と「ｋｎｏｗｎ  ＰＡＣ」とにソートすること、および記録媒体の初期化が可能な場合に、「ｕｎｋｎｏｗｎ  ＰＡＣ」が初期化されない一方で、ＰＡＣゾーン内の「ｋｎｏｗｎ  ＰＡＣ」を初期化することを含む、高密度光ディスクなどの記録媒体を初期化する方法を対象にする。
【００１７】
前述の本発明の概要と後述する本発明の詳細な説明の両方は、例示であり、かつ説明目的のものであり、本発明のさらなる説明を特許請求の範囲として提供することを意図していることを理解すべきである。
【発明を実施するための最良の形態】
【００１８】
本発明の実施形態についての言及を行い、それらは添付図面で説明される。可能な限り、同一の参照番号は、同一のまたは同様の部分を指すために図面全体を通して使用される。
【００１９】
一実施形態において、普通の意味および通例の意味に加えて、「物理的アクセス制御（ＰＡＣ）」という用語は、ディスク全体またはディスクの物理的ゾーン内の特定のセグメントのデータ記録およびデータ再生を管理／制御するための、ディスク上に記録される付加的な情報を含むことができる。説明の便宜上、「物理的アクセス制御（ＰＡＣ）」という用語は、「ＰＡＣ」、「ＰＡＣ情報」、および／または「ＰＡＣ制御情報」と呼ぶことができる。
【００２０】
また、説明の便宜上、ＰＡＣが記録されるディスク内のゾーンは「ＰＡＣゾーン」と呼ぶことができ、クラスタ単位でＰＡＣゾーンに記録されるＰＡＣは「ＰＡＣクラスタ」と呼ぶことができる。
【００２１】
さらに、本発明の実施形態に係るＰＡＣは、「ｕｎｋｎｏｗｎ  ｒｕｌｅ」を含むことができる。「ｕｎｋｎｏｗｎ  ｒｕｌｅ」は、特に未知のＰＡＣ＿ＩＤを有し、旧バージョン（例えば、「レガシー（legacy）バージョン」）のドライブを含むドライブについて、ディスク全体または特定のセグメントについてのデータの読み出し／書き込み（read/write）を制限することが可能である。「ｕｎｋｎｏｗｎ  ｒｕｌｅ」が適用されるＰＡＣは、「Ｕｎｋｎｏｗｎ  ＰＡＣ」と呼ぶことができる。同様に、ＰＡＣに記録される既知の特定のＰＡＣ＿ＩＤは、「ｋｎｏｗｎ  ｒｕｌｅ」と呼ぶことができ、ＰＡＣに適用される「ＰＡＣ特定情報（specific information）」は、「Ｋｎｏｗｎ  ＰＡＣ」と呼ぶことができる。
【００２２】
一実施形態において、「Ｋｎｏｗｎ  ＰＡＣ」は、ディスク上の各クラスタの（光ディスクドライブである可能性がある）レコーダ上のディスク初期化の日付および情報（例えば、Ｒｅｃｏｒｄｅｒ  ＩＤ。１つのディスクが複数のレコーダで記録される場合、これは役立つ情報である可能性がある）に関連する情報を有するＰＡＣであることができ、および「Ｐｒｉｍａｒｙ  ＰＡＣ」と呼ぶことができる。
【００２３】
ＰＡＣがＰＡＣゾーンに記録される構造、並びにその構造を使用することによってデータを記録し、および再生する装置および方法は、添付図面を参照して説明される。
【００２４】
図１Ａまたは図１Ｂは、本発明の一実施形態に係る高密度光ディスク上のＰＡＣゾーンを説明する。図１Ａを参照すると、高密度光ディスクは、ディスクの内周から外周方向にかけてリードインゾーン（lead-in zone）、データゾーン、リードアウトゾーン（lead-out zone）にパーティションで区切ることができる。リードインゾーンは、さまざまな種類の情報を記録するためのＩＮＦＯ２ゾーンとＩＮＦＯ１ゾーンとにさらにパーティションで区切ることができる。ＩＮＦＯ２ゾーンとＩＮＦＯ１ゾーンは、ＰＡＣ（物理的アクセス制御）ゾーンを含むことができる。
【００２５】
便宜上、ＩＮＦＯ２ゾーンに割り当てられるＰＡＣゾーンは、ＰＡＣ２ゾーンとラベルすることができ、ＩＮＦＯ１ゾーンに割り当てられるＰＡＣゾーンは、ＰＡＣ１ゾーンとラベルすることができる。ＰＡＣ２ゾーンおよびＰＡＣ１ゾーンの中の一方は、オリジナルＰＡＣが記録され、他方は、オリジナルＰＡＣの複製を記録するバックアップゾーンを有することができる。書き込み方向がディスクの内周から外周方向である場合には、オリジナルＰＡＣはＰＡＣ２ゾーンに記録され、バックアップＰＡＣはＰＡＣ１ゾーンに記録されることが有利であるだろう。
【００２６】
図１Ｂは、第１の記録層（Ｌ０：Layer 0）および第２の記録層（Ｌ１：Layer 1）を含む２つの記録層を有するデュアルレイヤ（dual layer）のディスク構造の図を説明する。各々の記録層は、リードインゾーン／リードアウトゾーン（インナーゾーンとも呼ばれる）、データ領域、アウターゾーン０または１を含む。
【００２７】
リードインゾーン（インナーゾーン０）およびリードアウトゾーン（インナーゾーン１）のそれぞれは、ディスクの管理情報を記録するＩＮＦＯ２ゾーンとＩＮＦＯ１ゾーンを含むことができ、ＰＡＣゾーンは、ＩＮＦＯ２ゾーン、および／またはＩＮＦＯ１ゾーンに置くことができる。
【００２８】
シングルレイヤ（single layer）ディスクと同様に、ＩＮＦＯ２ゾーンに割り当てられるＰＡＣゾーンは、ＰＡＣ２ゾーンとラベルすることができ、ＩＮＦＯ１ゾーンに割り当てられるＰＡＣゾーンは、ＰＡＣ１ゾーンとラベルすることができる。ＰＡＣ２ゾーンとＰＡＣ１ゾーンの中の一方は、オリジナルＰＡＣが記録され、他方は、オリジナルＰＡＣの複製を記録するバックアップゾーンを有することができる。書き込み方向がディスクの内周から外周方向である場合には、オリジナルＰＡＣはＰＡＣ２ゾーンに記録され、バックアップＰＡＣはＰＡＣ１ゾーンに記録されることが有利であるだろう。
【００２９】
図１Ｂに示す例において、ＰＡＣ１ゾーンおよびＰＡＣ２ゾーンは、デュアルレイヤディスクのリードインゾーンばかりでなくリードアウトゾーンにも存在するので、デュアルレイヤディスクは、シングルレイヤディスクの２倍の大きさのＰＡＣサイズを有する。
【００３０】
ＰＡＣゾーンは、旧バージョンのドライブ装置が、新しいバージョンのドライブ装置との互換機能を有する、追加されたディスク上の機能を検出することができない場合に発生する可能性がある問題点に対処するために提供されることが可能である。ＰＡＣゾーンは、１つまたは複数の「ｕｎｋｎｏｗｎ  ｒｕｌｅ」を使用して互換性問題に対処することができる。
【００３１】
「ｕｎｋｎｏｗｎ  ｒｕｌｅ」は、ディスクの予測可能な動作、例えば、読み出し、書き込みなどの基本制御、欠陥領域の線形代替（linear replacement）、論理的上書きなどを制御するために使用することができる。「ｕｎｋｎｏｗｎ  ｒｕｌｅ」が適用できることを示す領域、例えば、ディスク全体またはディスクの特定の部分を定義するためのセグメントもディスク上に提供することができる。これについては、以後、より詳細に説明される。
【００３２】
「ｕｎｋｎｏｗｎ  ｒｕｌｅ」によって管理されるディスクの領域には、ＤＭＡ（ディスク管理領域：Disc Management Area）領域、予備領域、ユーザデータ領域、および／または他の同様な領域が提供されることが可能である。
【００３３】
「ｕｎｋｎｏｗｎ  ｒｕｌｅ」によって管理されるディスクの領域には、ＤＭＡ領域、予備領域、ユーザデータ領域などがあり、特に、ユーザデータ領域に関して、「ｕｎｋｎｏｗｎ  ｒｕｌｅ」が適用可能なディスク上の所定の領域であるセグメント領域が指定されることが可能である。（セグメントは、後で詳細に説明される。）
すなわち、「ｕｎｋｎｏｗｎ  ｒｕｌｅ」を使用することによって、上述の領域に対する予測可能な動作、例えば、記録や再生の基本動作から始まり、欠陥領域の線形代替、ＢＤ−ＷＯに対する論理的上書き、および／または他の同様な動作を制御するための規則（rule）、および／または他の動作を定義することができる。
【００３４】
従って、ディスクの領域を定義することによって、旧バージョンのドライブ装置は「ｕｎｋｎｏｗｎ  ｒｕｌｅ」を使用することによってアクセスが可能になり、新しいバージョンのディスクは旧バージョンのドライブ装置の不要なアクセス動作を少なくする。
【００３５】
また、ＰＡＣを使用することによってアクセスする旧バージョンのドライブ装置のディスクの物理的な領域上のアクセス可能な領域を定義することによって、その領域上に記録されるユーザデータを含むデータ領域を一層堅固に保護することが可能であり、ディスクの不正アクセス（例えば、ハッキング）を防止し、または減らすことができる。
【００３６】
リードインゾーン内のＰＡＣ２ゾーンとＰＡＣ１ゾーンを有するＩＮＦＯ２ゾーンとＩＮＦＯ１ゾーンは、高密度光ディスクの書き込み可能特性を考慮して概説することができる。
【００３７】
図２は、本発明の一実施形態に係る高密度光ディスクのＩＮＦＯ２ゾーンおよびＩＮＦＯ１ゾーンを説明する。高密度光ディスクであるＢＤ−ＲＥの例についての図２を参照すると、ＩＮＦＯ２ゾーンは、３２クラスタのＰＡＣ２ゾーンと、３２クラスタの欠陥管理のためのＤＭＡ２ゾーンと、３２クラスタの制御情報が記録されるＣＤ（Control Data：制御データ）２ゾーンと、および／または３２クラスタのバッファゾーンのＢＺ（Buffer Zone）３ゾーンとを含む２５６クラスタを有することができる。
【００３８】
ＩＮＦＯ１ゾーンは、３２クラスタのバッファ領域のＢＺ２ゾーンと、ドライブに固有の情報を格納するためのドライブ領域である３２クラスタのドライブ領域と、欠陥を管理する３２クラスタのＤＭＡ１ゾーンと、制御情報を記録する３２クラスタのＣＤ１ゾーンと、および／またはＰＡＣゾーンとして利用可能な３２クラスタのＢＺ１−ＰＡＣ１ゾーンとを含むことができる。
【００３９】
また、１回だけ書き込み可能な高密度光ディスク（ＢＤ−Ｒ）については、ＩＮＦＯ２ゾーンは、それぞれ３２クラスタを有するＰＡＣ２ゾーン、ＤＭＡ２ゾーン、ＣＤ２ゾーン、およびＢＺ３ゾーンを含む２５６クラスタを有することができ、ＩＮＦＯ１ゾーンは、それぞれ３２クラスタを有するＢＺ２ゾーン、ＤＭＡ１ゾーン、ＣＤ１ゾーン、および／またはＢＺ１−ＰＡＣ１ゾーンと１２８クラスタのドライブ領域を含む。
【００４０】
また、読み出し専用の高密度光ディスク（ＢＤ−ＲＯＭ）については、ＩＮＦＯ２ゾーンは、それぞれ３２クラスタを有するＰＡＣ２ゾーン、ＣＤ２ゾーン、およびＢＺ３ゾーンを含む２５６クラスタを有することができ、ＩＮＦＯ１ゾーンは、それぞれ３２クラスタを有するＣＤ１ゾーン、および／またはＢＺ１−ＰＡＣ１ゾーンを含む２５６クラスタを有することができる。
【００４１】
本発明の実施形態のＰＡＣゾーンは、高密度光ディスクの書き換え可能特性に従って、それぞれ３２クラスタの、リードインゾーン内のＩＮＦＯ２ゾーンおよび／またはＩＮＦＯ１ゾーンに割り当てることができる。
【００４２】
２つの記録層を有するデュアルレイヤディスクの例においては、ＰＡＣゾーンは、リードインゾーンだけではなく、リードアウトゾーンにも指定することができるので、１つのＰＡＣゾーンは、６４クラスタを有することができる。
【００４３】
３２クラスタ（または６４クラスタ）のＰＡＣゾーンにおいて、複数の有効なＰＡＣを記録する１つのＰＡＣは１クラスタを有することができる。必要に応じて１クラスタのサイズの複数のＰＡＣが存在ことも可能である。１つのＰＡＣが１クラスタとして記録される構造の例は、図３を参照して説明される。
【００４４】
図３は、本発明の一実施形態に係る高密度光ディスク上に記録されるＰＡＣの構造の図を説明する。
【００４５】
図３を参照すると、１クラスタサイズ（３２セクタ）の１つのＰＡＣは、ヘッダゾーンと、特定のディスクドライブ（例えば、光ディスクドライブ）に固有の固有情報ゾーンとを含む。ＰＡＣヘッダゾーンは、「ｕｎｋｎｏｗｎ  ＰＡＣ  ｒｕｌｅ」およびセグメントの情報などのさまざまな種類のＰＡＣ情報を記録するための、ＰＡＣの１番目のセクタに３８４バイトを割り当て、ＰＡＣゾーンの他の領域は、その上に記録された「ｋｎｏｗｎ  ｒｕｌｅ」と呼ぶことができる（光）ディスクドライブに固有な情報を有することができる。
【００４６】
上述の構造に記録されたＰＡＣの構造の一例は、図４を参照して説明される。便宜上、その説明において、より詳しい説明を必要とするＰＡＣの特定のフィールドは、特定のフィールドを説明する図面を参照する。
【００４７】
図４は、本発明の一実施形態に係る高密度光ディスク上のＰＡＣの構造を示す図を説明する。図４を参照すると、ＰＡＣは、すべてのＰＡＣに適用可能なヘッダ部分（一例では、３８４バイトの一番目のフレームまで）と、ドライブに固有の情報が記録される領域とを含むことができる。
【００４８】
一例のヘッダ部分は、４バイトの「ＰＡＣ＿ＩＤ」、４バイトの「Ｕｎｋｎｏｗｎ  ＰＡＣ  Ｒｕｌｅｓ」、１バイトの「Ｅｎｔｉｒｅ＿Ｄｉｓｃ＿Ｆｌａｇ」、１バイトの「Ｎｕｍｂｅｒ  ｏｆ  Ｓｅｇｍｅｎｔｓ」、および／または各々８バイトを有する３２個の「Ｓｅｇｍｅｎｔ_０〜Ｓｅｇｍｅｎｔ_３１」を含むことができる。
【００４９】
「ＰＡＣ＿ＩＤ」は、現在のＰＡＣの状態および識別コードを提供することができる。例えば、「ＰＡＣ＿ＩＤ」が「００  ００  ００  ００ｈ」である場合、「ＰＡＣ＿ＩＤ」は、現在のＰＡＣが使用されないことを示し、「ＰＡＣ＿ＩＤ」が「ＦＦ  ＦＦ  ＦＦ  ＦＦｈ」である場合、「ＰＡＣ＿ＩＤ」は、現在のＰＡＣゾーンは以前に使用されたとしても再使用可能であることを示すことができる。「５４  ５３  ５４  ００ｈ」などの所定のビットで「ＰＡＣ＿ＩＤ」を記録することによって、「ＰＡＣ＿ＩＤ」は、現在のドライブが自由にアクセスすることができるディスクであるかどうかを決定するコードとして使用される。すなわち、現在のドライブが適用される「ＰＡＣ＿ＩＤ」を認識しない場合、これは現在のドライブがバージョンの相違などの理由により現在のＰＡＣを理解できない場合であると判断し、「５４  ５３  ５４  ００ｈ」が、「Ｕｎｋｎｏｗｎ  ＰＡＣ  Ｒｕｌｅｓ」フィールドに記録される情報を参照する必要があるコードとして使用される。
【００５０】
上述のように、「Ｕｎｋｎｏｗｎ  ＰＡＣ  Ｒｕｌｅｓ」フィールドは、現在のＰＡＣを認識することができないドライブの動作範囲を指定するフィールドとして使用することが可能であり、これは図５を参照してさらに説明される。
【００５１】
図５は、本発明の一実施形態に係る「Ｕｎｋｎｏｗｎ  ＰＡＣ  Ｒｕｌｅｓ」フィールドの構成を示す図を説明する。図５を参照すると、ディスク上のさまざまな領域の制御性の度合いは、「Ｕｎｋｎｏｗｎ  ＰＡＣ  Ｒｕｌｅｓ」によって可能になることができる。この例において、図５の「Ａｒｅａ」列は、ディスク上の制御可能な領域を表し、「Ｃｏｎｔｒｏｌ」列は、読み出し／書き込みなどの制御種類を表し、「Ｎｕｍｂｅｒ  ｏｆ  Ｂｉｔｓ」列は、制御に必要ないくつかのビットを表す。「Ｎｕｍｂｅｒ  ｏｆ  Ｂｉｔｓ」列の付加的なビットは、２個の記録／再生面を有するデュアルレイヤディスクの場合を表すことができる。
【００５２】
図５を参照すると、ディスク上のさまざまな領域の制御性の度合いは、「Ｕｎｋｎｏｗｎ  ＰＡＣ  Ｒｕｌｅｓ」によって可能になることができる。この例において、図５の「Ａｒｅａ」列は、ディスク上の制御可能な領域を表し、「Ｃｏｎｔｒｏｌ」列は、読み出し／書き込みなどの制御種類を表し、「Ｎｕｍｂｅｒ  ｏｆ  Ｂｉｔｓ」列は、制御に必要ないくつかのビットを表す。「Ｎｕｍｂｅｒ  ｏｆ  Ｂｉｔｓ」列の付加的なビットは、２個の記録／再生面を有するデュアルレイヤディスクの場合を表すことができる。
【００５３】
「Ｕｎｋｎｏｗｎ  ＰＡＣ  Ｒｕｌｅｓ」は、ディスク上のいくつかの領域を制御するために使用することができる。例えば、「Ｕｎｋｎｏｗｎ  ＰＡＣ  Ｒｕｌｅｓ」は、ＩＮＦＯ１、２、３、および／または４ゾーン内のディスク管理領域（ＤＭＡ）ゾーン（ディスク定義構造（ＤＤＳ：Disk Definition Structure）を含むことも可能であり、含まないことも可能である）の記録制御性を示すことができる。また、「Ｕｎｋｎｏｗｎ  ＰＡＣ  Ｒｕｌｅｓ」は、データゾーン（Data Zone）内の「予備領域」の記録制御性を示すことができる。また、「Ｕｎｋｎｏｗｎ  ＰＡＣ  Ｒｕｌｅｓ」は、ＩＮＦＯ１、２、３、および／または４ゾーン内の制御データ（ＣＤ）ゾーンの記録制御性および／または再生制御性を示すことができる。また、「Ｕｎｋｎｏｗｎ  ＰＡＣ  Ｒｕｌｅｓ」は、データゾーン内のユーザデータ領域の記録制御性および／または再生制御性を示すことができる。また、「Ｕｎｋｎｏｗｎ  ＰＡＣ  Ｒｕｌｅｓ」は、ＩＮＦＯ１ゾーンおよび／またはＩＮＦＯ２ゾーンの「ＰＡＣクラスタ」の記録制御性および／または再生制御性を示すことができる。
【００５４】
以下の例の規則は、（「ＰＡＣクラスタ」領域を除いた）領域に適用することができる。制御種類が書き込み（write）、例えば、Ｂｉｔｓ＝ｂ３、ｂ５、ｂ６、ｂ７などの場合においては、割り当てられたビットが「０」に設定されると、このことは関係する領域が書き込み可能であることを示すために使用することができ、割り当てられたビットが「１」に設定されると、このことは関係する領域が書き込み不可能であることを示すために使用することができる。
【００５５】
制御種類が読み出し（read）、例えば、Ｂｉｔｓ＝ｂ２、ｂ４などの場合においては、割り当てられたビットが「０」に設定されると、このことは関係する領域が読み出し可能であることを示すために使用することができ、割り当てられたビットが「１」に設定されると、このことは関係する領域が読み出し不可能であることを示すために使用することができる。
【００５６】
「ＰＡＣクラスタ」ゾーンに関しては、制御種類が書き込み（Ｂｉｔｓ＝ｂ１）の場合には、割り当てられたビットが「０」であれば、このことは現在のＰＡＣに対する上書きが可能であること、またはディスク定義構造（ＤＤＳ）の状態ビットが変更可能であることを示すために使用することができる。一方、割り当てられたビットが「１」であれば、このことは現在のＰＡＣに対する上書きが不可能であること、またはＤＤＳの状態ビットが変更不可能であることを示すために使用することができる。ＤＤＳは、以下、詳細に説明される。
【００５７】
また、「ＰＡＣクラスタ」ゾーンに関しては、制御種類が読み出し（Ｂｉｔｓ＝ｂ０）の場合には、割り当てられたビットが「０」であれば、このことは「ＰＡＣクラスタ」ゾーンが読み出し可能であり、現在のクラスタのコンテンツがドライブの外部（例えば、ホストまたは他の類似な装置）への伝送が可能であることを示すために使用することができる。また、割り当てられたビットが「１」であれば、これは現在のＰＡＣクラスタのコンテンツ（いわゆる、「ｋｎｏｗｎ  ｒｕｌｅ」）が最初の３８４バイトの一番目のデータフレーム（ヘッダ）を除いて伝送可能ではないことを示すために使用することができるが、これは「ｕｎｋｎｏｗｎ  ｒｕｌｅ」によってディスクを制御しようとする場合にのみ設定可能である。
【００５８】
ユーザデータ領域の例においては、（以下説明する）ディスク上の特別の領域であるセグメント領域が定義されると、ユーザデータ領域は、必ずしもユーザデータ領域全体としてではなく、セグメント領域上の記録制御性および再生制御性を示すフィールドとして使用することができる。
【００５９】
書き込み制御性は、書き換え可能なディスクであるＢＤ−ＲＥおよびＢＤ−Ｒにだけ適用可能であり、欠陥領域の代替領域の書き込み制御性も書き換え可能なディスクであるＢＤ−ＲＥおよびＢＤ−Ｒに適用可能である。結果的に、本発明のさまざまな実施形態の特徴は、高密度（光）ディスクの書き換え特性によって決まる可能性がある。
【００６０】
上記技術を使用すれば、「Ｕｎｋｎｏｗｎ  ＰＡＣ  Ｒｕｌｅｓ」フィールドは、バージョンが一致しないドライブのディスク上の制御可能な領域の指定を可能にする。また、上記技術は、ユーザのオプションでディスク上の特定の物理的領域へのアクセスを制御するために適用することもできる。
【００６１】
図４に戻ると、図４の「ＰＡＣ  Ｕｐｄａｔｅ  Ｃｏｕｎｔ」フィールドは、ＰＡＣのアップデート回数を示し、最初に「０」が書き込まれ、および／またはＰＡＣが書き換えされる度に１つずつインクリメントすることができる。
【００６２】
また、図４において、「Ｅｎｔｉｒｅ＿Ｄｉｓｃ＿Ｆｌａｇ」フィールドは、ＰＡＣがディスク全体の領域に適用可能であることを示すフィールドとして使用することができ、「Ｎｕｍｂｅｒ  ｏｆ  Ｓｅｇｅｍｅｎｔｓ」フィールドは、ＰＡＣが適用可能なセグメント領域の数を表すことができるフィールドである。
【００６３】
一実施形態において、再初期化が許可される「ｂ０＝０」の場合においてさえ、他の書き込み禁止メカニズム（例えば、ＤＤＳのライトプロテクト（ＷＰ）フラグ）によって書き込みが許可されない場合には、初期化は禁止される。すなわち、「Ｅｎｔｉｒｅ＿Ｄｉｓｃ＿Ｆｌａｇ」は、他の書き込み禁止メカニズムとともに論理和関数（OR-function）で稼動することが可能である。
【００６４】
「Ｅｎｔｉｒｅ＿Ｄｉｓｃ＿Ｆｌａｇ」フィールドは、「ｕｎｋｎｏｗｎ  ＰＡＣ」の場合だけではなく「ｋｎｏｗｎ  ＰＡＣ」の場合にも適用可能なフィールドとして使用することができる。すなわち、「ｋｎｏｗｎ  ｒｕｌｅ」を適用可能にする「ＰＡＣ＿ＩＤ」を認識する「ｋｎｏｗｎ  ＰＡＣ」さえの再初期化の許可は、「Ｅｎｔｉｒｅ＿Ｄｉｓｃ＿Ｆｌａｇ」フィールドを介して制御することができる。
【００６５】
他の実施形態において、上述の「Ｅｎｔｉｒｅ＿Ｄｉｓｃ＿Ｆｌａｇ」フィールドを提供しないで、再初期化の許可は、（例えば、３２ビットの「Ｕｎｋｎｏｗｎ  ＰＡＣ  Ｒｕｌｅ」フィールド内の）余分の１ビットを使用して再初期化の許可を示す「ｒｅ−ｉｎｉｔｉａｌｉｚａｔｉｏｎ  ｆｌａｇ」として示すことも可能である。
【００６６】
また、「Ｅｎｔｉｒｅ＿Ｄｉｓｃ＿Ｆｌａｇ」フィールドの機能はそのようなものとして名付けられたフラグに限定されないことは自明である。明らかなように、「Ｅｎｔｉｒｅ＿Ｄｉｓｃ＿Ｆｌａｇ」フィールドの機能は、ＰＡＣの再初期化に適用可能であり、フィールドは、「Ｉｎｉｔｉａｌｉｚａｔｉｏｎ  ｂｉｔ  ｏｆ  ＰＡＣ」フィールドとして識別することができる。
【００６７】
さらに、図４において、「Ｎｕｍｂｅｒ  ｏｆ  Ｓｅｇｍｅｎｔｓ」フィールドは、ＰＡＣが適用可能なセグメント領域の数を表すことができるフィールドである。一実施形態において、セグメントの最大数は１つのＰＡＣに割り当てることができる。一実施形態において、最大数である３２個のセグメントは、１つのＰＡＣに割り当てることが可能であり、割り当てられたセグメントの情報は、それぞれ８バイトを有する「Ｓｅｇｍｅｎｔ＿０」から「Ｓｅｇｍｅｎｔ＿３１」までのフィールドに書き込むことができる。「Ｓｅｇｍｅｎｔ＿０〜Ｓｅｇｍｅｎｔ＿３１」フィールドのそれぞれは、記録された、割り当てられたセグメント領域の一番目の物理的セクタナンバ（ＰＳＮ）と最後のＰＳＮを含むことができる。
【００６８】
セグメントは、以下、より詳細に説明される。図６は、本発明の一実施形態に係る高密度光ディスク上のセグメント領域を説明する。
【００６９】
図６を参照すると、必要に応じて、ＰＡＣを適用するための、高密度光ディスク上のセグメント領域の最大数（例えば、３２個）が存在する場合がある。セグメント領域の最大数は、「ｓｅｇｍｅｎｔ０」から始まる。昇順に「ｓｅｇｍｅｎｔ０」から始めてセグメントの最大数まで１つのＰＡＣによる管理のために割り当てることができ、複数のＰＡＣが存在する場合においてさえも、ＰＡＣによって管理されるセグメント領域の全体の個数は、セグメントの最大数を超えない。
【００７０】
一例において、セグメント領域の位置は、割り当てられたセグメント領域の開始位置を示すことができる一番目のＰＳＮ、および割り当てられたセグメント領域の最後の位置を示すことができる最後のＰＳＮを「Ｓｅｇｍｅｎｔ」フィールド上に書き込むことによって光ディスクドライブで定義されることができる。一実施形態の配置において、複数の割り当てられたセグメントはいずれも重なる必要がなく、開始位置および最後の位置は、クラスタの境界で指定されることができる。
【００７１】
したがって、本発明の実施形態では、本発明はいくつかのセグメント領域（例えば、３２個）を管理するために複数のＰＡＣを提供することができるが、このことは、以下詳細に説明される。
【００７２】
図７は、本発明の一実施形態に係る高密度光ディスク上のＰＡＣゾーンを説明する。
【００７３】
図７を参照すると、「Ｐｒｉｍａｒｙ  ＰＡＣ」は、４バイトの「ＰＡＣ＿ＩＤ」、４バイトの「ＰＡＣ  Ｕｐｄａｔｅ  Ｃｏｕｎｔ」、４バイトの「Ｕｎｋｎｏｗｎ  ＰＡＣ  Ｒｕｌｅｓ」、１バイトの「Ｅｎｔｉｒｅ_Ｄｉｓｃ_Ｆｌａｇs」、１バイトの「Ｎｕｍｂｅｒ  ｏｆ  Ｓｅｇｍｅｎｔｓ」、それぞれ８バイトの総数３２個の「Ｓｅｇｍｅｎｔ＿０  〜  Ｓｅｇｍｅｎｔ＿３１」、２バイトの「ｎｕｍｂｅｒ  ｏｆ  Ｒｅｃｏｒｄｅｒ  ＩＤ  ｅｎｔｒｉｅｓ」、４バイトの「Ｙｅａｒ／Ｍｏｎｔｈ／Ｄａｔｅ  ｏｆ  ｉｎｉｔｉａｌ  ｒｅｃｏｒｄｉｎｇ」、２バイトの「Ｒｅ−ｉｎｉｔｉａｌｉｚａｔｉｏｎ  Ｃｏｕｎｔ」、および／またはそれぞれ１２８バイトの複数個の「Ｒｅｃｏｒｄｅｒ  ＩＤ  ｆｏｒ  ＲＩＤ＿Ｔａｇ  ｘｘｈ」フィールドを含むことができる。
【００７４】
「Ｐｒｉｍａｒｙ  ＰＡＣ」内の「ｎｕｍｂｅｒ  ｏｆ  Ｒｅｃｏｒｄｅｒ  ＩＤ  ｅｎｔｒｉｅｓ」フィールド、「Ｙｅａｒ／Ｍｏｎｔｈ／Ｄａｔｅ  ｏｆ  ｉｎｉｔｉａｌ  ｒｅｃｏｒｄｉｎｇ」フィールド、「Ｒｅ−ｉｎｉｔｉａｌｉｚａｔｉｏｎ  Ｃｏｕｎｔ」フィールド、および「Ｐｒｉｍａｒｙ  ＰＡＣ」の「Ｒｅｃｏｒｄｅｒ  ＩＤ  ｆｏｒ  ＲＩＤ＿Ｔａｇ  ｘｘｈ」フィールドは、「ｋｎｏｗｎ  ｒｕｌｅ」と呼ぶことができ、このフィールドは、「Ｐｒｉｍａｒｙ  ＰＡＣ」を特徴づけるＰＡＣ固有情報である。このような構造を有する「Ｐｒｉｍａｒｙ  ＰＡＣ」は、以下で説明される。
【００７５】
上述のように、「ＰＡＣ＿ＩＤ」フィールドは、現在のＰＡＣの状態および識別コードを提供するフィールドとして使用されることが可能であり、特に「Ｐｒｉｍａｒｙ  ＰＡＣ」を示す「５０  ５２  ４Ｄ  ００ｈ」に記録されることが可能である。「５０  ５２  ４Ｄ  ００ｈ」は、文字「ＰＲＭ」を表し、最後の「００ｈ」ビットは、「Ｐｒｉｍａｒｙ  ＰＡＣ」のバージョンが「０」であることを示す。
【００７６】
「ＰＡＣ  Ｕｐｄａｔｅ  Ｃｏｕｎｔ」フィールドは、「Ｐｒｉｍａｒｙ  ＰＡＣ」のアップデート回数を示すために使用され、初期化時に「００ｈ」として書き込まれ、および「Ｐｒｉｍａｒｙ  ＰＡＣ」が書き換えられる度に１つずつインクリメントされることが可能である。
【００７７】
「Ｕｎｋｎｏｗｎ  ＰＡＣ  Ｒｕｌｅｓ」フィールドは、図５に示す構造を有する「ＰＡＣ＿ＩＤ」によって識別される「Ｐｒｉｍａｒｙ  ＰＡＣ」を認識しないドライブの動作範囲を指定するために使用されることが可能なフィールドであり、およびＤＭＡ領域、予備領域、制御データ領域、ユーザデータ領域、ＰＡＣクラスタ領域、および／または他の類似データを制御するために設定されることが可能なフィールドである。
【００７８】
Ｐｒｉｍａｒｙ  ＰＡＣ内の「Ｅｎｔｉｒｅ_Ｄｉｓｃ_Ｆｌａｇs」フィールドは、初期化を許可する「００ｈ」に設定されることが可能であり、セグメント領域が割り当てられない場合、「Ｎｕｍｂｅｒ  ｏｆ  Ｓｅｇｍｅｎｔｓ」フィールドおよび「Ｓｅｇｍｅｎｔ＿ｉ」フィールドは、「００ｈ」に設定されることが可能である。
【００７９】
「ｎｕｍｂｅｒ  ｏｆ  Ｒｅｃｏｒｄｅｒ  ＩＤ  ｅｎｔｒｉｅｓ」フィールドは、１２８バイトのサイズのレコーダＩＤの数、および／またはＰｒｉｍａｒｙ  ＰＡＣでの最大許可可能な数の２５２を示すために使用されることが可能なフィールドである。
【００８０】
「Ｙｅａｒ／Ｍｏｎｔｈ／Ｄａｔｅ  ｏｆ  ｉｎｉｔｉａｌ  ｒｅｃｏｒｄｉｎｇ」フィールドは、ディスクの初期記録の年、月、日を記録するために使用されることが可能なフィールドであり、「Ｒｅ−ｉｎｉｔｉａｌｉｚａｔｉｏｎ  Ｃｏｕｎｔ」フィールドは、ディスクの再初期化の回数を示すために使用されることが可能なフィールドである。
【００８１】
「Ｒｅｃｏｒｄｅｒ  ＩＤ  ｆｏｒ  ＲＩＤ＿Ｔａｇ  ｘｘｈ」フィールドは、すべてのレコーダのドライブ署名（drive signature）を記録するレコーダＩＤ情報のために使用されることが可能な、１２８バイトを割り当てられたフィールドである。１２８バイトのドライブ署名は、４８バイトの製造社名、４８バイトの付加的な識別情報、および／または３２バイトのシリアルナンバを含むことができる。
【００８２】
他の実施形態において、複数個のＰＡＣが存在可能であり、複数個のＰＡＣは、ディスク全体または最大値（例えば、３２個）まで割り当てることができるセグメント領域を管理する。このことは、以下、より詳細に説明される。
【００８３】
図８は、本発明の一実施形態に係る高密度光ディスク上のＰＡＣゾーンを説明する。図８を参照すると、それぞれが同じクラスタのサイズである複数の有効なＰＡＣは、それぞれが３２クラスタを有する１つのＰＡＣゾーン（ＩＮＦＯ２またはＩＮＦＯ１のＰＡＣゾーン）に書き込まれることが可能である。
【００８４】
上述のように、有効なＰＡＣは、さまざまな種類のＰＡＣ情報を含むゾーンとして定義されることが可能であり、有効なＰＡＣの最大値（例えば、３２個、またはデュアルレイヤディスクの場合には６４個）は、ディスク上に提供されることが可能であり、１つのＰＡＣゾーンに割り当てられることが可能な１クラスタサイズをそれぞれ有する。
【００８５】
上述のように、有効なＰＡＣは、ＰＡＣが記録された光ディスクのドライブのバージョンに従ってあらかじめ選択されたＰＡＣ＿ＩＤ（例えば、ＰＡＣ＿ＩＤ＝５４  ５３  ５４  ００ｈ）を有することができ、残りのＰＡＣゾーンは、ＰＡＣ＿ＩＤが「００  ００  ００  ００ｈ」の場合「ＦＦ  ＦＦ  ＦＦ  ＦＦｈ」のＰＡＣを記録させることが可能であり、まだ記録されていないＰＡＣゾーンは、なお未記録ＰＡＣゾーンである。
【００８６】
有効なＰＡＣが記録されていない残りのＰＡＣゾーンは、「００  ００  ００  ００ｈ」または「ＦＦ  ＦＦ  ＦＦ  ＦＦｈ」のＰＡＣ＿ＩＤを持つＰＡＣを有することが可能であり、何も記録されていないＰＡＣゾーンは未記録ＰＡＣのままにすることが可能である。
【００８７】
一実施形態において、欠陷が、ＰＡＣが書き込まれる１つのＰＡＣゾーンで発生する場合、ＰＡＣは、欠陥領域の次の領域に書き込まれることが可能である。欠陷は、ディスク表面の損傷または汚染によって発生する可能性があり、このような欠陷が、ＰＡＣが書き込まれる領域で発生する場合、ＰＡＣ情報は欠陥領域の次の領域に書き込まれることが可能である。
【００８８】
ＰＡＣゾーンから有効なＰＡＣゾーンの位置を検出し、またはこれ以上の書き込みを必要としない、既に書き込まれている領域を避けると同時に次の書き込み可能なＰＡＣゾーンの位置、および上記ＰＡＣゾーンから欠陥領域を検出するなどの動作は、ディスクの初期化および記録速度の点で重要な問題であり、多くの再試行（retry）が欠陥領域を読み出すために必要である。
【００８９】
一実施形態において、本発明は、複数の有効なＰＡＣの位置、次の書き込み可能なＰＡＣの位置、および／または他の関係する情報についての状態情報がＤＤＳ（ディスク定義構造）に書き込まれることが可能な方法を説明する。
【００９０】
ＤＤＳは、欠陥リストの一番目のＰＳＮ、ユーザデータゾーンの位置、予備領域のサイズ、および／または他の関係する情報についての情報を含むゾーンであることができ、ＤＤＳは、ＤＦＬ（Defect List：欠陥リスト）とともにＤＭＳ（Defect Management Structure：欠陥管理構造）の情報としてディスク上のＤＭＡ（Defect Management Area：欠陥管理領域）ゾーンに書き込まれる情報であることが可能である。
【００９１】
ＤＭＡに書き込まれる情報は、ディスクがドライブにロードされる時に予めスキャンされ、プレロード（pre-load）される情報であることが可能である。したがって、複数の有効なＰＡＣの位置、次の書き込み可能なＰＡＣの位置、および／または他の関係する情報などのＰＡＣ上のさまざまな状態情報がポインタとしてＤＤＳに書き込まれると、光ディスクドライブは、すべてのＰＡＣゾーンをスキャンする必要なく、ＰＡＣゾーンについての情報を得ることができる。ＤＤＳは、ＰＡＣゾーンの状態についてのさまざまな種類の情報を含むことが可能であり、以下、このことを説明する。
【００９２】
図９は、本発明の一実施形態に係る高密度光ディスク上のＤＤＳを説明する。図９は、本発明の一実施形態に係る高密度光ディスク上のＤＤＳの一実施形態を示す図を説明する。図９の実施形態は、デュアルレイヤディスクを説明するが、図９に示すことは、シングルレイヤディスクにも同様に適用可能である。
【００９３】
図９を参照すると、ＤＤＳは「ＤＤＳ  ｉｄｅｎｔｉｆｉｅｒ」フィールド、「ＤＤＳ  ｆｏｒｍａｔ」フィールド、ドライブ領域の一番目の物理的セクタナンバを表す「Ｆｉｒｓｔ  ＰＳＮ  ｏｆ  Ｄｒｉｖｅ  Ａｒｅａ（Ｐ＿ＤＡ）」フィールド、欠陥リストの一番目のＰＳＮを表す「Ｆｉｒｓｔ  ＰＳＮ  ｏｆ  Ｄｅｆｅｃｔ  Ｌｉｓｔ（Ｐ＿ＤＦＬ）」フィールド、ユーザデータ領域のＬＳＮ（論理的セクタナンバ：Logical Sector Number）の位置を表す「Ｌｏｃａｔｉｏｎ  ｏｆ  ＬＳＮ  ０  ｏｆ  Ｕｓｅｒ  Ｄａｔａ  Ａｒｅａ」フィールド、内部予備領域０のサイズを表す「Ｉｎｎｅｒ  Ｓｐａｒｅ  Ａｒｅａ  ０  ｓｉｚｅ（ＩＳＡ０＿ｓｉｚｅ）」フィールド、外部予備領域０のサイズを表す「Ｏｕｔｅｒ  Ｓｐａｒｅ  Ａｒｅａ  ｓｉｚｅ（ＯＳＡ＿ｓｉｚｅ）」フィールド、内部予備領域１のサイズを表す「Ｉｎｎｅｒ  Ｓｐａｒｅ  Ａｒｅａ  １＿ｓｉｚｅ（ＩＳＡ１＿ｓｉｚｅ）」フィールド、第１の記録層Ｌ０のＩＮＦＯ１ゾーン内のＰＡＣ１についての状態情報を記録させる「Ｓｔａｔｕｓ  ｂｉｔｓ  ｏｆ  ＩＮＦＯ１／ＰＡＣ１  ｌｏｃａｔｉｏｎ  ｏｎ  Ｌ０」フィールド、第１の記録層Ｌ０のＩＮＦＯ２ゾーン内のＰＡＣ２についての状態情報を記録させる「Ｓｔａｔｕｓ  ｂｉｔｓ  ｏｆ  ＩＮＦＯ２／ＰＡＣ２  ｌｏｃａｔｉｏｎ  ｏｎ  Ｌ０」フィールド、第２の記録層Ｌ１のＩＮＦＯ１ゾーン内のＰＡＣ１についての状態情報を記録させる「Ｓｔａｔｕｓ  ｂｉｔｓ  ｏｆ  ＩＮＦＯ１／ＰＡＣ１  ｌｏｃａｔｉｏｎ  ｏｎ  Ｌ１」フィールド、および／または第２の記録層Ｌ１のＩＮＦＯ２ゾーン内のＰＡＣ２についての状態情報を記録させる「Ｓｔａｔｕｓ  ｂｉｔｓ  ｏｆ  ＩＮＦＯ２／ＰＡＣ２  ｌｏｃａｔｉｏｎ  ｏｎ  Ｌ１」フィールドを含むことができる。
【００９４】
上記実施形態で示したように、ＤＤＳは、有効なＰＡＣが割り当てられたクラスタの位置、次の書き込み可能な領域、および／または他の類似情報などの、ＰＡＣについてのさまざまな状態情報を提供することができる。本発明の一実施形態に係るＰＡＣゾーンのＰＡＣ状態情報の一例は、図１０を参照して詳細に説明される。
【００９５】
図１０を参照すると、２つのビット（例）は、ＤＤＳに記録されるＰＡＣゾーンの状態情報を示すために提供される各フィールドに割り当てられることが可能である。図１０の例において、ビット「００」は、ＰＡＣクラスタが未記録であることを示し、ビット「０１」は、ＰＡＣクラスタが「ＰＡＣ＿ＩＤ＝００  ００  ００  ００ｈ」または「ＰＡＣ＿ＩＤ＝ＦＦ  ＦＦ  ＦＦ  ＦＦｈ」を有するＰＡＣが記録されていることを示し、ビット「１０」は、ＰＡＣクラスタが、（例えば、欠陷の理由により）無効なＰＡＣであることを示し、ビット「１１」は、ＰＡＣクラスタが有効なＰＡＣであることを示す。
【００９６】
欠陷はＰＡＣクラスタが無効であると識別される可能性がある唯一の理由ではない。例えば、ＰＡＣクラスタが「Ｕｎｋｎｏｗｎ  ＰＡＣ  Ｒｕｌｅｓ」によって読み出しできない場合にも、ＰＡＣクラスタはビット「１０」を有する無効なＰＡＣとして識別することもできる。すなわち、上述のように、「Ｕｎｋｎｏｗｎ  ＰＡＣ  Ｒｕｌｅ」のｂ０ビットはＰＡＣクラスタが読み出し可能かどうかを示すビットとして使用されることが可能であり、ビットが「１」に設定される場合にはＰＡＣクラスタが書き換え可能であっても、ＰＡＣクラスタは無効なＰＡＣとして識別される。
【００９７】
本発明の一実施形態に係るＰＡＣゾーンのＰＡＣ状態情報の他の例は、図１１Ａ乃至図１１Ｄを参照してより詳細に説明される。図１１Ａ乃至図１１Ｄは、それぞれＰＡＣゾーンの状態情報を示すＤＤＳのＰＡＣ状態情報フィールドを示す構造を説明する。
【００９８】
図１１Ａは、第１の記録層Ｌ０のＩＮＦＯ１ゾーンに指定されたＰＡＣ１ゾーンの状態情報を示す「Ｓｔａｔｕｓ  ｂｉｔｓ  ｏｆ  ＩＮＦＯ１／ＰＡＣ１  ｌｏｃａｔｉｏｎ  ｏｎ  Ｌ０」フィールドの構造を説明する。
【００９９】
図１１Ａを参照すると、「Ｓｔａｔｕｓ  ｂｉｔｓ  ｏｆ  ＩＮＦＯ１／ＰＡＣ１  ｌｏｃａｔｉｏｎ  ｏｎ  Ｌ０」フィールドは、総計８バイト（６４ビット）を、バイト位置（byte position）６４（例）から始めてバイト位置７１（例）までに割り当てることができ、各ＰＡＣクラスタについて２ビットを使用して状態情報を示すことによって、ＰＡＣクラスタの総数（例えば、３２）についての情報は示されることが可能である。
【０１００】
したがって、例えば、ｂ７−ｂ６ビットがバイト位置６４で「１１」である場合、このことは第１の記録層のＰＡＣ１ゾーン内の一番目のＰＡＣクラスタが有効なＰＡＣを有することを示すために使用されることが可能である。また、（例えば）ｂ５−ｂ４ビットがバイト位置６４で「０１」である場合、第１の記録層のＰＡＣ１ゾーン内の二番目のＰＡＣクラスタが、ＰＡＣクラスタが書き込み可能なＰＡＣを有することを示す「ＰＡＣ＿ＩＤ＝００  ００  ００  ００ｈ」または「ＰＡＣ＿ＩＤ＝ＦＦ  ＦＦ  ＦＦ  ＦＦｈ」を有することを示すために使用されることが可能である。
【０１０１】
また、「Ｓｔａｔｕｓ  ｂｉｔｓ  ｏｆ  ＩＮＦＯ２／ＰＡＣ２  ｌｏｃａｔｉｏｎ  ｏｎ  Ｌ０」フィールドは、第１の記録層のＩＮＦＯ２ゾーンのＰＡＣ２ゾーンについて同じ方法によって書き込まれることができるが、これを図１１Ｂに示す。
【０１０２】
図１１Ｃは、第２の記録層Ｌ１のＩＮＦＯ１ゾーン内のＰＡＣ１の状態情報を有する「Ｓｔａｔｕｓ  ｂｉｔｓ  ｏｆ  ＩＮＦＯ１／ＰＡＣ１  ｌｏｃａｔｉｏｎ  ｏｎ  Ｌ１」フィールドの構造の一例を説明し、また、図１１Ｄは、第２の記録層Ｌ１のＩＮＦＯ２ゾーン内のＰＡＣ２の状態情報を有する「Ｓｔａｔｕｓ  ｂｉｔｓ  ｏｆ  ＩＮＦＯ２／ＰＡＣ２  ｌｏｃａｔｉｏｎ  ｏｎ  Ｌ１」フィールドの構造の一例を説明するが、ＰＡＣクラスタの情報は上述したように示される。
【０１０３】
一実施形態において、本発明のＰＡＣの特性は、以下のように要約することができる。
【０１０４】
有効なＰＡＣにおいては、有効なＰＡＣがＰＡＣ＿ＩＤを認識するか否かによって「Ｕｎｋｎｏｗｎ  ＰＡＣ」と「Ｋｎｏｗｎ  ＰＡＣ」とが存在する可能性があり、「Ｕｎｋｎｏｗｎ  ＰＡＣ」はディスク上の特定の領域（例えば、ＤＭＡ領域、予備領域、ユーザデータ領域、ＰＡＣクラスタ、および／または他の類似の領域）の記録制御情報、および／または再生制御情報を有する。ユーザデータ領域上の記録制御情報、および／または再生制御情報は、セグメントがユーザデータ領域に割り当てられる場合、セグメント領域上の記録制御情報および／または再生制御情報として使用されることが可能である。
【０１０５】
「Ｋｎｏｗｎ  ＰＡＣ」は、ＰＡＣに固有の固有情報を含むことができ、「Ｐｒｉｍａｒｙ  ＰＡＣ」は、ディスク初期化時の日付情報、レコーダＩＤ情報、および／または他の類似の情報を有する「Ｋｎｏｗｎ  ＰＡＣ」の一種として定義されることが可能である。
【０１０６】
１つのＰＡＣゾーンは、複数の有効なＰＡＣを指定させることが可能であり、ＰＡＣゾーンのさまざまなＰＡＣの状態はＤＤＳに記録されることが可能である。
【０１０７】
書き換え可能な高密度光ディスク（ＢＤ−ＲＥ）の初期化は、起こり得る（likely）。ディスクの初期化およびディスクを再び使用するための準備は、ＤＭＳ領域およびＰＡＣのフォーマット、欠陥リスト（ＤＦＬ）情報をアップデートするためのスキャニングと認証を含むことができる。ＤＦＬ情報をアップデートすることはオプションなので、本発明で定義される初期化は、フォーマットおよび再フォーマットを含むこともできる。
【０１０８】
本明細書において定義される書き換え可能な高密度光ディスク（例えば、ＢＤ−ＲＥ）の初期化は、再初期化、フォーマットおよび再フォーマットを含むことが意図される。
【０１０９】
書き換え可能な高密度光ディスク（例えば、ＢＤ−ＲＥ）の初期化のために、挿入されたディスクが初期化可能であるか否かをまず検証する必要がある。ディスクが初期化可能であるか否かの検証は、「Ｅｎｔｉｒｅ  Ｄｉｓｃ  Ｆｌａｇ」フィールド（「ｉｎｉｔｉａｌｉｚａｔｉｏｎ  ｂｉｔ  ｏｆ  ＰＡＣ」と呼ぶこともできる）、および／またはディスク記録禁止メカニズム（例えば、ＤＤＳのライトプロテクト（ＷＰ＿ｆｌａｇ））を使用して実行することができる。例えば、「Ｅｎｔｉｒｅ  Ｄｉｓｃ  Ｆｌａｇ」フィールド内のビットであるｂ０が（例えば、「１」に）設定される場合、または記録禁止メカニズムがディスク上の記録を禁止する場合、初期化は許可されない。
【０１１０】
初期化が許可されるか否かを示す「Ｅｎｔｉｒｅ  Ｄｉｓｃ  Ｆｌａｇ」フィールドが「Ｋｎｏｗｎ  ＰＡＣ」に適用可能な場合において、「Ｅｎｔｉｒｅ  Ｄｉｓｃ  Ｆｌａｇ」フィールドが初期化を許可するとすれば、「Ｋｎｏｗｎ  ＰＡＣ」は初期化されることができる。
【０１１１】
ディスクが「Ｕｎｋｎｏｗｎ  ＰＡＣ」によって制御される場合において、「Ｕｎｋｎｏｗｎ  ＰＡＣ  Ｒｕｌｅ」がデータ領域への記録を禁止すれば、初期化は可能ではない可能性がある。
【０１１２】
ディスクが初期化可能な場合において、本発明の実施形態に係る高密度光ディスクを初期化（または、再初期化、フォーマット、または再フォーマット）するさまざまな実施形態を以下説明する。
【０１１３】
図１２Ａおよび図１２Ｂは、本発明の一実施形態に係るＰＡＣを初期化する方法を説明する。図１２Ａは、ＰＡＣの初期化の後のＰＡＣゾーンの変化を説明し、図１２Ｂは、ＰＡＣの初期化の後のＤＤＳ領域におけるＰＡＣ関連状態情報を記録する手法を説明する。
【０１１４】
図１２Ａおよび図１２Ｂを参照すると、初期化方法の一実施形態において、ＰＡＣゾーンはそのままであり、ＤＤＳのＰＡＣ関連状態情報のみが変更される。
【０１１５】
すなわち、図１２Ｂに示すように、ＰＡＣゾーンの状態情報を表すＤＤＳ情報のみが次の書き込み可能な状態に変更される。例えば、有効なＰＡＣの位置情報を示すビット「１１」は、ＰＡＣゾーンが次の書き込み可能なＰＡＣゾーンであることを示すビット「０１」に変更され、元の書き込み可能な領域を示すビット「０１」あるいはビット「００」は、そのまま維持される。
【０１１６】
ＰＡＣゾーンの別個の初期化なしに、この実施形態の手法は、ＤＤＳ情報のみを変更することによって比較的単純なＰＡＣゾーンの初期化プロセスを、ＰＡＣゾーン全体を書き込み可能な領域として識別させる。上述した例などの、ＰＡＣゾーンの物理的初期化なしに、ＤＤＳ情報の変更による初期化の方法は、論理的初期化（または論理的フォーマット）と呼ぶことが可能である。
【０１１７】
図１３Ａおよび図１３Ｂは、本発明の他の実施形態に係るＰＡＣを初期化する方法を説明する。
【０１１８】
図１３Ａおよび図１３Ｂを参照すると、「Ｐｒｉｍａｒｙ  ＰＡＣ」を含む「Ｋｎｏｗｎ  ＰＡＣ」は初期化され、「Ｕｎｋｎｏｗｎ  ＰＡＣ」はそのままである。上述のように、一種の「Ｋｎｏｗｎ  ＰＡＣ」と考えることができる「Ｐｒｉｍａｒｙ  ＰＡＣ」の初期化は、「Ｅｎｔｉｒｅ  Ｄｉｓｃ  Ｆｌａｇ」が「０」に設定することができるので可能である。
【０１１９】
ディスク上に「Ｐｒｉｍａｒｙ  ＰＡＣ」がない場合、ディスクは「Ｐｒｉｍａｒｙ  ＰＡＣ」で「ＰＡＣ  Ｕｐｄａｔｅ  Ｃｏｕｎｔ」フィールドと、「Ｒｅ−ｉｎｉｔｉａｌｉｚａｔｉｏｎ  Ｃｏｕｎｔ」フィールドとを「０」に設定することによって初期化され、新しい「Ｐｒｉｍａｒｙ  ＰＡＣ」を作り出す。この場合、記録初期化時の年／月／日は、「Ｙｅａｒ／Ｍｏｎｔｈ／Ｄａｔｅ  ｏｆ  ｉｎｉｔｉａｌ  ｒｅｃｏｒｄｉｎｇ」フィールドに記録されることができ、初期化時のレコーダＩＤは、「Ｒｅｃｏｒｄｅｒ  ＩＤ  ｆｏｒ  ＲＩＤ＿Ｔａｇ０１」フィールドに記録されることができる。
【０１２０】
ディスク上に「Ｐｒｉｍａｒｙ  ＰＡＣ」がある場合、新しい「Ｐｒｉｍａｒｙ  ＰＡＣ」は、「ＰＡＣ  Ｕｐｄａｔｅ  Ｃｏｕｎｔ」フィールドの値を１つずつインクリメントし、記録初期化時の年／月／日を「Ｙｅａｒ／Ｍｏｎｔｈ／Ｄａｔｅ  ｏｆ  ｉｎｉｔｉａｌ  ｒｅｃｏｒｄｉｎｇ」フィールドに設定する。また、既に記録されたすべてのレコーダＩＤのリストは消され、初期記録時のレコーダＩＤは「Ｒｅｃｏｒｄｅｒ  ＩＤ  ｆｏｒ  ＲＩＤ＿Ｔａｇ０１」フィールドに記録され、「Ｒｅ−ｉｎｉｔｉａｌｉｚａｔｏｎ  Ｃｏｕｎｔ」フィールドは１つずつインクリメントされることが可能である。
【０１２１】
「Ｐｒｉｍａｒｙ  ＰＡＣ」が上述の方法によって初期化される場合、「Ｕｎｋｎｏｗｎ  ＰＡＣ」はそのままである一方、ＤＤＳ内の有効なＰＡＣのすべての情報は、図１３Ｂに示すように変わらないままである。
【０１２２】
ディスク初期化時に「Ｕｎｋｎｏｗｎ  ＰＡＣ」がそのままにされるのは、ＰＡＣがユーザ領域だけではなくディスク上の他の領域（例えば、ＤＭＡ領域、予備領域、制御データ領域、および／または他の類似の領域）に関する情報も有するからである。結果的に、ユーザデータと関係なく「Ｕｎｋｎｏｗｎ  ＰＡＣ」をそのままにしておく初期化は可能である。
【０１２３】
図１４Ａおよび図１４Ｂは、本発明の他の実施形態に係るＰＡＣを初期化する方法を説明する。
【０１２４】
図１４Ａおよび図１４Ｂを参照すると、「Ｐｒｉｍａｒｙ  ＰＡＣ」を含む「Ｋｎｏｗｎ  ＰＡＣ」および「Ｕｎｋｎｏｗｎ  ＰＡＣ」の両方は初期化されることが可能である。
【０１２５】
従って、図１４Ａを参照すると、「ＰＡＣ＿ＩＤ＝Ａ（「Ａ」は任意の識別子）」である「Ｕｎｋｎｏｗｎ  ＰＡＣ」および「ＰＡＣ＿ＩＤ=Ｂ（「Ｂ」は任意の識別子）」である「Ｕｎｋｎｏｗｎ  ＰＡＣ」の両方は、初期化されて次の書き込み可能な領域「ＰＡＣ＿ＩＤ＝００  ００  ００  ００ｈ」あるいは「ＰＡＣ＿ＩＤ＝ＦＦ  ＦＦ  ＦＦ  ＦＦｈ」になる。また、「Ｐｒｉｍａｒｙ  ＰＡＣ」は、例えば、図１３Ａおよび図１３Ｂに示す手法を使用して初期化されることが可能である。
【０１２６】
図１４Ｂを参照すると、ビット「１１」は「Ｕｎｋｎｏｗｎ  ＰＡＣ」の有効なＰＡＣを示すために使用されることが可能であり、ＤＤＳのＰＡＣ関連情報はビット「０１」に変更されることが可能である。
【０１２７】
図１５Ａおよび図１５Ｂは、本発明の他の実施形態に係るＰＡＣを初期化する方法を説明する。
【０１２８】
図１５Ａおよび図１５Ｂを参照すると、図１４Ａおよび図１４Ｂと類似して、「Ｐｒｉｍａｒｙ  ＰＡＣ」を含む「Ｋｎｏｗｎ  ＰＡＣ」および「Ｕｎｋｎｏｗｎ  ＰＡＣ」の両方は、「Ｕｎｋｎｏｗｎ  ＰＡＣ  Ｒｕｌｅ」のビットｂ１を考慮して初期化されることが可能である。
【０１２９】
すなわち、上述のように、ＰＡＣクラスタ領域についての記録制御ビットである「Ｕｎｋｎｏｗｎ  ＰＡＣ  Ｒｕｌｅ」のビットｂ１が、（例えば）「１」に設定されてＰＡＣクラスタに対する書き換えを禁止する場合、「Ｕｎｋｎｏｗｎ  ＰＡＣ」の初期化は禁止される。また、「Ｕｎｋｎｏｗｎ  ＰＡＣ  Ｒｕｌｅ」のビットｂ１が、ＰＡＣクラスタに対する書き換えを許可するために、（例えば）「０」に設定される場合、「Ｕｎｋｎｏｗｎ  ＰＡＣ」の初期化は可能になる。
【０１３０】
従って、ユーザデータと関係なく「Ｕｎｋｎｏｗｎ  ＰＡＣ」をそのままにしようとする場合、ビットｂ１を使用することによって「Ｕｎｋｎｏｗｎ  ＰＡＣ」をそのままにすることは可能であり、そのままである「Ｕｎｋｎｏｗｎ  ＰＡＣ」については、ＤＤＳの情報は、有効なＰＡＣとしての「１１」としてそのままにされる。
【０１３１】
図１６は、本発明の一実施形態に係る光記録／再生装置のブロック図を説明する。
【０１３２】
図１６を参照すると、光記録／再生装置は、光ディスクへの記録／再生を実行する記録／再生部１０と、記録／再生部１０を制御するホストまたは制御部２０とを含むことができる。一実施形態において、記録／再生部１０は、本発明の複数の実施形態と併せて上述した「光ディスクドライブ」として動作することができる。
【０１３３】
一実施形態において、ホスト２０は、光ディスクの特定の領域に対して書き込みまたは再生するために、書き込み命令または再生命令を記録／再生部１０に渡し、記録／再生部１０は、ホスト２０からの命令に応答して特定の領域に対する記録／再生を実行する。
【０１３４】
記録／再生部１０は、ホスト２０とデータおよび命令をやり取りするなどの通信を実行するインターフェース部１２と、光ディスクに対してデータを直接書き込み／読み出すためのピックアップ部１１と、ピックアップ部１１から信号を受信して、所望の信号値に修復し、または書き込まれる信号を光ディスクに書き込み可能な信号に変調するデータプロセッサ１３と、光ディスクから正確に信号を読み出すため、または光ディスクに信号を正確に書き込むためにピックアップ部１１を制御するサーボ部１４と、管理情報を含むさまざまな種類の情報とデータの一時格納用のメモリ１５と、記録／再生部１０のさまざまな構成要素を制御するマイクロコンピュータ１６とをさらに含むことができる。
【０１３５】
本実施形態の光記録／再生装置を使用して書き込み可能な高密度光ディスク上にＰＡＣを記録する方法の一例は、以下で説明される。
【０１３６】
光ディスクを光記録／再生装置に挿入すると、光ディスクの記録／再生時に使用される管理情報は、光ディスクから読み出され、記録／再生部１０のメモリ１５に格納されることが可能である。
【０１３７】
このような状態で、ユーザが光ディスクの特定の領域へ書き込もうとする場合、ホスト２０はこれを書き込み命令と考えて所望の書き込み位置の情報を書き込まれるデータとともに記録／再生部１０に提供する。
【０１３８】
記録／再生部１０のマイクロコンピュータ１６は、書き込み命令を受信し、メモリ１５に格納された管理情報からホスト２０が書き込もうとする光ディスクの領域が欠陥領域であるか否かを決定し、および／または欠陥領域ではない領域にホスト２０からの書き込み命令に従ってデータ書き込みを実行する。
【０１３９】
この時、ディスク全体またはディスクの特定の領域への書き込みは、従来のバージョンの記録／再生部が検知できず、提供しない新たな特徴を含むことが決定される場合、またはユーザによる制限の設定に従ってディスクの特定の領域に対する書き込み、または再生などの機能を制限しようとする場合、記録／再生部１０のマイクロコンピュータ１６は、ディスク上のＰＡＣゾーンの領域の制御情報を「Ｕｎｋｎｏｗｎ  ＰＡＣ  ｒｕｌｅ」として書き込むことができる。記録／再生部１０のマイクロコンピュータ１６は、書き込まれた状態についての「ＰＡＣ＿ＩＤ」などのＰＡＣ情報、およびディスク上の特定の領域の制御情報であるセグメント情報を書き込むこともできる。また、記録／再生部１０のマイクロコンピュータ１６は、ＰＡＣ＿ＩＤおよびセグメント情報をディスクの特定の領域にＰＡＣ情報として書き込むこともできる。レコーダＩＤ情報は、「Ｐｒｉｍａｒｙ  ＰＡＣ」の「Ｒｅｃｏｒｄｅｒ  ＩＤ  ｆｏｒ  ＲＩＤ＿Ｔａｇ」に記録されることが可能である。
【０１４０】
ＰＡＣ情報は、ＩＮＦＯ１ゾーンのＰＡＣ１ゾーン上の複数の有効なＰＡＣに必要に応じて１クラスタのサイズで書き込まれることができ、ＰＡＣ１ゾーン上に記録されたＰＡＣの複製は、バックアップとしてＩＮＦＯ２ゾーンのＰＡＣ２ゾーンに書き込まれることが可能である。
【０１４１】
マイクロコンピュータ１６は、データが書き込まれる領域またはＰＡＣゾーンの位置情報とデータをサーボ１４およびデータプロセッサ１３に提供することができ、書き込みはピックアップ部１１を介して光ディスクの所望の位置で完了する。
【０１４２】
一方、上述の方法によってＰＡＣを記録される高密度光ディスクの初期化は、記録／再生部１０のマイクロコンピュータ１６の制御の下、上述のように実行されることが可能である。一実施形態において、「Ｕｎｋｎｏｗｎ  ＰＡＣ」は、ＰＡＣを記録されたクラスタが書き込み可能な場合に初期化されることが可能であり、「Ｋｎｏｗｎ  ＰＡＣ」の「Ｐｒｉｍａｒｙ  ＰＡＣ」の初期化は、レコーダＩＤの情報および初期化時の日付を記録し、かつ関連するカウント情報をアップデートすることによって行われることが可能である。
【０１４３】
他の実施形態において、ＰＡＣが書き込まれた高密度光ディスクに対して記録し、および／または再生する方法は、説明される。
【０１４４】
光ディスクを光記録／再生装置に挿入すると、光ディスクの記録および再生時に使用される管理情報は、光ディスクから読み出され、記録／再生部１０のメモリ１５に格納されることが可能である。
【０１４５】
メモリ１５の情報は、ディスク上のＰＡＣゾーンに含まれるさまざまなゾーンの位置情報を含むことができる。特に、ＰＡＣゾーン内の有効なＰＡＣの位置は、ディスク定義構造（ＤＤＳ）情報から認識されることが可能である。有効なＰＡＣの位置が認識された後、「ＰＡＣ＿ＩＤ」が識別可能な「ＰＡＣ＿ＩＤ」であるか否かを検証するために、ＰＡＣの「ＰＡＣ＿ＩＤ」フィールドは確認されることが可能である。
【０１４６】
「ＰＡＣ＿ＩＤ」が識別可能な場合、方法は、ディスクにデータを書き込んだ記録／再生部が現在の記録／再生部のバージョンと同一のバージョンを有するか、または別個の記録／再生制限がないことを決定し、記録／再生はホスト２０からの命令に従って実行される。
【０１４７】
「ＰＡＣ＿ＩＤ」が識別可能ではない場合、ディスク全体またはセグメント領域に対する記録制限および再生制限がある場合であると決定して、記録／再生は、「Ｕｎｋｎｏｗｎ  ＰＡＣ  Ｒｕｌｅｓ」および／または「Ｓｅｇｍｅｎｔ」として書き込まれたディスク上の記録／再生制限領域を参照してホスト２０からの命令に従って実行されることが可能である。
【０１４８】
マイクロコンピュータ１６は、ホスト２０からの命令に従って位置情報とデータをサーボ１４およびデータプロセッサ１３に提供することができ、記録／再生は、ピックアップ部１１を介して光ディスク上の所望の位置で完了する。
【０１４９】
上述したように、本発明の実施形態に係る高密度光ディスクにおける記録および再生のための方法および装置は、１つまたは２つ以上の以下の利点を有することができる。
【０１５０】
第１に、ＰＡＣゾーンおよび関連するＤＤＳ情報をアップデートするさまざまな実施形態は、高密度光ディスクの効率的な初期化を可能にする。
【０１５１】
第２に、ＰＡＣを使用してデータを記録／再生するさまざまな実施形態は、高密度光ディスクに対する効率的なデータ記録／再生を可能にする。
【０１５２】
様々な変更および変形が、本発明の要旨および範囲から離れることなく上述した本発明の実施形態に行うことが可能であることは、当業者にとって明らかである。したがって、本発明は、添付の特許請求の範囲およびその均等なものの範囲内で提供される本発明の変更および変形に及ぶことが意図される。
【図面の簡単な説明】
【０１５３】
【図１Ａ】本発明の一実施形態に係る高密度光ディスク上のＰＡＣゾーンを説明する図である。
【図１Ｂ】本発明の一実施形態に係る高密度光ディスク上のＰＡＣゾーンを説明する図である。
【図２】本発明の一実施形態に係る高密度光ディスク上のＩＮＦＯ２ゾーンとＩＮＦＯ１ゾーンを説明する図である。
【図３】本発明の一実施形態に係る高密度光ディスク上に記録されたＰＡＣを説明する図である。
【図４】本発明の一実施形態に係る高密度光ディスク上のＰＡＣを説明する図である。
【図５】本発明の一実施形態に係る「Ｕｎｋｎｏｗｎ  ＰＡＣ  Ｒｕｌｅｓ」フィールドを説明する図である。
【図６】本発明の一実施形態に係る高密度光ディスクを説明する図である。
【図７】本発明の一実施形態に係る高密度光ディスク上のプライマリＰＡＣゾーンを説明する図である。
【図８】本発明の一実施形態に係る高密度光ディスク上のＰＡＣゾーンを説明する図である。
【図９】本発明の一実施形態に係る高密度光ディスク上のＤＤＳを説明する図である。
【図１０】本発明の一実施形態に係るＰＡＣゾーンの状態情報を示す図である。
【図１１Ａ】本発明の一実施形態によるＰＡＣゾーンの状態情報を表示するＤＤＳのＰＡＣ状態情報フィールドを示した構造図である。
【図１１Ｂ】本発明の実施形態によるＰＡＣゾーンの状態情報を表示するＤＤＳのＰＡＣ状態情報フィールドを示した構造図である。
【図１１Ｃ】本発明の実施形態によるＰＡＣゾーンの状態情報を表示するＤＤＳのＰＡＣ状態情報フィールドを示した構造図である。
【図１１Ｄ】本発明の実施形態によるＰＡＣゾーンの状態情報を表示するＤＤＳのＰＡＣ状態情報フィールドを示した構造図である。
【図１２Ａ】本発明の一実施形態に係るＰＡＣを初期化することを説明する図である。
【図１２Ｂ】本発明の一実施形態に係るＰＡＣを初期化することを説明する図である。
【図１３Ａ】本発明の他の実施形態に係るＰＡＣを初期化することを説明する図である。
【図１３Ｂ】本発明の他の実施形態に係るＰＡＣを初期化することを説明する図である。
【図１４Ａ】本発明の他の実施形態に係るＰＡＣを初期化することを説明する図である。
【図１４Ｂ】本発明の他の実施形態に係るＰＡＣを初期化することを説明する図である。
【図１５Ａ】本発明の他の実施形態に係るＰＡＣを初期化することを説明する図である。
【図１５Ｂ】本発明の他の実施形態に係るＰＡＣを初期化することを説明する図である。
【図１６】本発明の一実施形態に係る光記録／再生装置のブロック図を説明する図である。
【図１Ａ】
0004611351.tif 000002
【図１Ｂ】
0004611351.tif 000003
【図２】
0004611351.tif 000004
【図３】
0004611351.tif 000005
【図４】
0004611351.tif 000006
【図５】
0004611351.tif 000007
【図６】
0004611351.tif 000008
【図７】
0004611351.tif 000009
【図８】
0004611351.tif 000010
【図９】
0004611351.tif 000011
【図１０】
0004611351.tif 000012
【図１１Ａ】
0004611351.tif 000013
【図１１Ｂ】
0004611351.tif 000014
【図１１Ｃ】
0004611351.tif 000015
【図１１Ｄ】
0004611351.tif 000016
【図１２Ａ】
0004611351.tif 000017
【図１２Ｂ】
0004611351.tif 000018
【図１３Ａ】
0004611351.tif 000019
【図１３Ｂ】
0004611351.tif 000020
【図１４Ａ】
0004611351.tif 000021
【図１４Ｂ】
0004611351.tif 000022
【図１５Ａ】
0004611351.tif 000023
【図１５Ｂ】
0004611351.tif 000024
【図１６】
0004611351.tif 000025